(57)【特許請求の範囲】
【請求項１】
有価価値を有した記録媒体を使用して支払を行うことによって遊技を可能とする複数の遊技機と、記録媒体に記録された記録情報の読み書きを行い、該記録情報を送信する端末装置と、端末装置から受信する記録情報を管理する管理装置とを複数の遊技店の夫々に備え、複数の管理装置を管理するための中央管理装置とを備える遊技管理システムにおいて、
前記端末装置は、
記録媒体の使用承認要求を受け付ける受付手段と、
該受付手段によって受け付けられた使用承認要求を管理装置へ送信する手段と
を備え、
前記管理装置は、
前記管理装置が設置されている遊技店にて使用可能な記録媒体の記録情報を記憶する記憶部と、
前記使用承認要求を受信した場合、受信した使用承認要求に係る記録媒体の記録情報が前記記憶部に記憶されているか否かを判定する判定手段と、
該判定手段によって前記記憶部に記憶されていないと判定された場合、前記使用承認要求に係る記録媒体の記録情報の取得要求を中央管理装置へ送信する要求手段と
を備え、
前記中央管理装置は、
前記取得要求を受信した場合、受信した取得要求に係る記録媒体の記録情報を記憶している管理装置を特定する特定手段と、
該特定手段によって特定された管理装置へ、前記取得要求を送信する手段と
を備え、
前記管理装置は更に、
前記取得要求を受信した場合、受信した取得要求に係る記録媒体の記録情報を中央管理装置へ送信する手段
を備え、
前記中央管理装置は更に、
記録媒体の記録情報を受信した場合、受信した記録情報を、前記取得要求の送信元である管理装置へ送信する手段
を備え、
前記管理装置は更に、
記録媒体の記録情報を受信した場合、受信した記録情報を、前記記憶部に登録する登録手段
を備え、
前記中央管理装置は更に、
記録媒体を識別するための記録媒体識別子と、該記録媒体の記録情報を記憶している管理装置との対応を示す対応情報を記憶する記憶部
を備え、
前記特定手段は、前記対応情報を参照することによって、受信した取得要求に係る記録媒体の記録情報を記憶している管理装置を特定すべくなしてあることを特徴とする遊技管理システム。
【発明の詳細な説明】
【０００１】
【発明の属する技術分野】
本発明は、例えばＩＣカード等の記録媒体を使用して遊技を行う場合に、記録媒体の使用の利便性を図ることができ、しかも記録媒体の不正使用の拡大を防止することができる遊技管理システムに関する。
【０００２】
【従来の技術】
従来から、磁気記録領域を備えた磁気カード等の記録媒体（以下、カードという）を用いて金銭的な支払いを行うために、カードに記録される記録情報を管理する遊技管理システムが実現されている。また磁気カードに比しさらに多くの情報を記録するために、半導体メモリを備えたＩＣカード等のカードを用いた遊技管理システムも構築されるようになっている。
【０００３】
このような遊技管理システムの多くは、上述したようなカードの不正使用の拡大を防止するため、特定の遊技店でのみ使用することができるカードであるハウスカードを採用している。
【０００４】
このようなハウスカードには、そのカードが使用できる遊技店を識別する店舗識別子（以下、店舗ＩＤという）がカード発行会社によって発行される際に記録される。そして、発行されたハウスカードは、そのカードに記録された店舗ＩＤによって識別される遊技店へ送付される。
【０００５】
ハウスカードを採用している遊技管理システムでは、そのハウスカードに記録された店舗ＩＤによって識別される遊技店でのみそのカードが使用できるようになっている。そして一度記録された店舗ＩＤは書き換えることができない。したがって、店舗ＩＤに示されている遊技店以外の遊技店ではそのカードを使用することができず、しかも店舗ＩＤを書き換えることができないため、プリペイドカードが偽造され不正に使用された場合であっても、その不正行為が複数の遊技店に拡大することを防止することができる。
【０００６】
このように、ハウスカードを用いた遊技管理システムは、カードの不正使用の拡大を防止するという点で優れているが、一方で、カードを複数の遊技店にて共通して使用することができないため、利用者にとっては利便性が悪い等の問題があった。そこで利用者の利便性の向上を図るべく、一枚のカードを複数の遊技店にて共通して使用することを実現した遊技管理システムが提案されている。
【０００７】
特許公報第２９８０３０６号には、自店で発券されたカードを使用する場合は自店内に備えられたローカルコンピュータに対してデータの照会を行い、一方、他店で発券されたカードを使用する場合はセンターに備えられたホストコンピュータに対してデータの照会を行うことによって、一枚のカードを複数の遊技店にて共通して使用することができる遊技管理システム（以下、従来システムという）が提案されている。
【０００８】
以下に従来システムの概要について説明する。図１５は、従来システムの構成を示すブロック図である。図１５において、３０，３０…は各遊技店を示しており、各遊技店３０，３０…には、カードの検証等を行うためのカード受付機３１，３１…と、カードの使用可能残高を照会するためのローカルコンピュータ３２，３２…とが備えられ、さらにセンター４０には、ローカルコンピュータ３２，３２…と接続されたホストコンピュータ４１が備えられている。ホストコンピュータ４１は、使用可能残高を含むカードの記録情報を各ローカルコンピュータ３２，３２…から受信し、受信した記録情報をデータベースに格納する。
【０００９】
上述のように構成された従来システムにおいて、他店にて発券されたカードを使用する場合、利用者は、カードをカード受付機３１に挿入し、カードの検証作業を行う必要がある。カード受付機３１は、挿入されたカードが自店にて発券されたカードであるか又は他店で発券されたカードであるかを判別する。その結果、他店にて発券されたカードであると判別された場合、自店に設置されたローカルコンピュータ３２を介してホストコンピュータ４１に対してカードの使用可能残高の照会を行う。そしてホストコンピュータ４１にてデータベースを参照してこのカードの使用可能残高の確認を行い、確認した残高とカードに記録されている残高とが一致した場合に、このカードを使用可能とする。
【００１０】
このように、他店にて発券されたカードを使用する場合は、自店に設置されたローカルコンピュータ３２ではそのカードの使用可能残高の確認をすることができないので、ホストコンピュータ４１にて使用可能残高の確認を行う。これにより、他店で発券されたカードであっても使用することが可能になる。
【００１１】
【発明が解決しようとする課題】
しかしながら、上述した従来システムの場合、他店にて発券されたカードを使用するときは、その使用の都度カード受付機にてカードの検証作業を行う必要がある。したがって、このようなカードの検証作業を必要としない場合に比し、利用者の利便性を損ねるという問題があった。
【００１２】
本発明は斯かる事情に鑑みてなされたものであり、各遊技店毎に、その遊技店において使用することが可能な記録媒体の記録情報を記憶し、この情報を中央管理装置を介して各遊技店間で転送することによって、他店にて発券又は使用された記録媒体であっても、一度検証作業を行えばその後は検証作業を経ることなく使用することができる遊技管理システムを提供することを目的とする。
【００１３】
【課題を解決するための手段】
本発明に係る遊技管理システムは、有価価値を有した記録媒体を使用して支払を行うことによって遊技を可能とする複数の遊技機と、記録媒体に記録された記録情報の読み書きを行い、該記録情報を送信する端末装置と、端末装置から受信する記録情報を管理する管理装置とを複数の遊技店の夫々に備え、複数の管理装置を管理するための中央管理装置とを備える遊技管理システムにおいて、前記端末装置は、記録媒体の使用承認要求を受け付ける受付手段と、該受付手段によって受け付けられた使用承認要求を管理装置へ送信する手段とを備え、前記管理装置は、前記管理装置が設置されている遊技店にて使用可能な記録媒体の記録情報を記憶する記憶部と、前記使用承認要求を受信した場合、受信した使用承認要求に係る記録媒体の記録情報が前記記憶部に記憶されているか否かを判定する判定手段と、該判定手段によって前記記憶部に記憶されていないと判定された場合、前記使用承認要求に係る記録媒体の記録情報の取得要求を中央管理装置へ送信する要求手段とを備え、前記中央管理装置は、前記取得要求を受信した場合、受信した取得要求に係る記録媒体の記録情報を記憶している管理装置を特定する特定手段と、該特定手段によって特定された管理装置へ、前記取得要求を送信する手段とを備え、前記管理装置は更に、前記取得要求を受信した場合、受信した取得要求に係る記録媒体の記録情報を中央管理装置へ送信する手段を備え、前記中央管理装置は更に、記録媒体の記録情報を受信した場合、受信した記録情報を、前記取得要求の送信元である管理装置へ送信する手段を備え、前記管理装置は更に、記録媒体の記録情報を受信した場合、受信した記録情報を、前記記憶部に登録する登録手段を備え、前記中央管理装置は更に、記録媒体を識別するための記録媒体識別子と、該記録媒体の記録情報を記憶している管理装置との対応を示す対応情報を記憶する記憶部を備え、前記特定手段は、前記対応情報を参照することによって、受信した取得要求に係る記録媒体の記録情報を記憶している管理装置を特定すべくなしてあることを特徴とする。
【００１６】
本発明による場合、端末装置は、利用者から記録媒体の使用を承認する要求を受け付けた場合、この受け付けた要求を管理装置に対して送信する。管理装置は、その管理装置を備えている遊技店において使用することができる記録媒体の記録情報を記憶する記憶部を有しており、端末装置から前記要求を受信した場合、その受信した要求に係る記録媒体の記録情報が前記記憶部に記憶されているか否かを判定し、記憶されていないと判定された場合、前記記録情報を取得するための取得要求を中央管理装置へ送信する。そして中央管理装置は、管理装置から記録情報の取得要求を受信した場合、この記録情報を記憶している管理装置を特定し、特定した管理装置に対して前記取得要求を送信する。
【００１７】
管理装置は、中央管理装置から記録情報の取得要求を受信した場合、記憶部を参照してこの取得要求に係る記録情報を取り出し、取り出した記録情報を中央管理装置へ送信する。そして中央管理装置は、管理装置から受信した記録情報を、この記録情報の取得要求を行った管理装置に対して送信する。中央管理装置から記録情報を受信した管理装置は、受信した記録情報を記憶部に登録する。
【００１８】
このように、利用者が記録媒体の使用を承認する要求をした場合、この要求を受けた管理装置は、中央管理装置を介することによって、その記録媒体の記録情報を入手する。したがって他店にて発券又は使用された記録媒体の場合であっても、その記録媒体を用いて利用者は遊技を行うことが可能になる。
【００１９】
また、管理装置は入手した記録情報を記憶部に登録するため、記録媒体の使用を承認する要求を一度行えば、次の使用からはこのような要求をする必要がなくなるので、利用者の利便性をより一層高めることができる。
【００２１】
そして、中央管理装置は、記録媒体を識別するための記録媒体識別子と、その記録媒体識別子によって識別される記録媒体の記録情報を記憶している管理装置との対応を示す対応情報を記憶している。そして、管理装置から記録情報の取得要求を受信した場合、この対応情報を参照して、前記取得要求に係る記録情報を記憶している管理装置を特定する。
【００２２】
このような対応情報を中央管理装置が記憶していることによって、記録情報の取得要求を行う管理装置は、その取得要求先の管理装置を特定しなくても済む。
【００２３】
また、使用可能な遊技店が不明である記録媒体がある場合でも、各遊技店に設置された管理装置すべてに問い合わせる必要はなく、中央管理装置が記憶している対応情報を参照すれば済む等、システム運用の効率化を図ることができる。
【００２４】
【発明の実施の形態】
以下、本発明をその実施の形態を示す図面に基づいて詳述する。
本発明の遊技管理システムは、例えば、パチンコ台及びスロットマシン等の遊技機を備えた遊技店用の決済システムである。また、本実施の形態のシステムにおいて使用される記録媒体は、半導体メモリを備えたＩＣカード等のプリペイドカード（以下、カードという）であり、そのカードに関するカード情報を記録している。
【００２５】
図１は、本発明の遊技管理システムの構成を示すブロック図である。図１において、１はカード発行会社を示しており、該カード発行会社１には中央管理装置１１が備えられている。該中央管理装置１１はパチンコ店等の複数の遊技店Ｐ１〜ＰＮの夫々に備えられている管理装置２１，２１…と公衆回線等の通信ネットワーク１０を介して接続されており、これらの管理装置２１，２１…との間で、カード情報の送受信を行う。
【００２６】
図２は、各遊技店における本発明の遊技管理システムの構成を示すブロック図である。図２に示すとおり、管理装置２１，２１…は、利用者がカードを購入するために用いられる発券機２２，２２…とも接続されており、管理装置２１，２１…と発券機２２，２２…との間で、カード情報の送受信が行われる。発券機２２，２２…は、管理装置２１，２１…から受信した情報に基づいて、カードの発券を行う。
【００２７】
また、管理装置２１，２１…は、２台のパチンコ台又はスロットマシン等の遊技機２４，２４…の間に備えられ、カード情報の読み取り及び書き込み等を行う台間機２５，２５…とも接続されており、管理装置２１，２１…と台間機２５，２５…との間で、カード情報の送受信が行われる。台間機２５，２５…は、管理装置２１，２１…から受信した情報に基づいて、パチンコ玉又はメダル等の遊技媒体の排出指示命令を遊技機２４，２４…へ送り、これを受けた遊技機２４，２４…は所定量の遊技媒体を排出する。
【００２８】
さらに、管理装置２１，２１…は、後述するカード受付処理の際にカード情報の読み取り及び書き込み等を行う受付機２３，２３…とも接続されており、管理装置２１，２１…と受付機２３，２３…との間で、カード情報の送受信が行われる。
【００２９】
なお、中央管理装置１１が管理装置２１，２１…の機能を兼ねることも可能である。この場合、各遊技店に備えられた発券機２２，２２…、台間機２５，２５…、及び受付機２３，２３…は中央管理装置１１との間でカード情報の送受信を行う。
【００３０】
また、Ｃはカードを示しており、該カードＣは、カード情報を記録するための記録領域１００を有している。
記録領域１００に記録されるカード情報には、カードＣを識別するためのカード識別子（以下、カードＩＤという），カードＣが発券された遊技店を識別するための発券店識別子（以下、発券店ＩＤという），カードＣが発券された年月日を示す発券日，及びカードＣが使用できる遊技店を識別するための使用店識別子（以下、使用店ＩＤという）等の情報が含まれる。またカード情報にはカードＣが使用できる金額を示す使用可能残高も含まれており、この使用可能残高は各カードＩＤ毎に各遊技店Ｐ１〜ＰＮに備えられている管理装置２１，２１…によって管理されている。
【００３１】
このようなカードＣは、カード発行会社１からの依頼に基づいてカード製造業者によって製造されたものであり、この製造の際に、上述したカードＩＤが記録領域１００に記録される。
【００３２】
カード発行会社１は、取引契約を結んでいる遊技店Ｐ１〜ＰＮへカードＣを配送する。またカード発行会社１は、中央管理装置１１にて、配送先である遊技店Ｐ１〜ＰＮと配送されたカードＣのカードＩＤとを対応付けた配送情報を有しており、各遊技店Ｐ１〜ＰＮに係る配送情報を各遊技店Ｐ１〜ＰＮに備えられている管理装置２１，２１…夫々に対して送信する。
【００３３】
カードＣの発券の際、発券機２２，２２…は発券対象のカードＣの記録領域１００に発券店ＩＤを書き込み、書き込んだ発券店ＩＤがその発券機２２を設置している遊技店Ｐ１〜ＰＮであることを確認する。また管理装置２１，２１…は、発券対象のカードＣの記録領域１００に記録されたカードＩＤと上述した配送情報中のカードＩＤとを突き合わせ、カード発行会社１から配送されたカードＣであることを確認する。そしてこれらの確認ができた場合、発券機２２，２２…は、記録領域１００に発券日等の所定の情報を書き込み、カードＣを発券する。
【００３４】
利用者はこのようにして発券されたカードＣを、その発券店において使用することにより、遊技機２４，２４…にて遊技を行うことができる。
【００３５】
図３は、本発明の遊技管理システムに用いられる中央管理装置１１の構成を示すブロック図である。図３において、２０１はＣＰＵを示しており、該ＣＰＵ２０１には、管理装置２１，２１…との通信を行うための通信インタフェース２０２と、種々のデータ及びプログラムを記憶する記憶部２０３とが接続されている。
【００３６】
記憶部２０３は、各管理装置２１，２１…夫々から受信したカードＣの発券及び消費に関する決済情報を記憶する決済情報ＤＢ２１０と、カードＣのカードＩＤとその配送先の遊技店Ｐ１〜ＰＮとの対応付けを示す配送情報を記憶する配送情報ＤＢ２１１と、後述する受付処理が行われたカードＣのカードＩＤとそのカードＣのカード情報を記憶している管理装置を備えている遊技店Ｐ１〜ＰＮとの対応付けを示す情報を記憶する受付情報ＤＢ２１２（請求項３における記憶部）と、不正カードのカードＩＤを記憶する不正情報ＤＢ２１３とを有している。
【００３７】
図４は、配送情報ＤＢ２１１に格納されているファイルのフォーマット例を示す概念図である。図４に示すとおり、配送情報ＤＢ２１１には、カードＩＤフィールド２１１ａ及び遊技店ＩＤフィールド２１１ｂの２つのフィールドが用意されている。
【００３８】
カードＩＤフィールド２１１ａには、カードＩＤの範囲が格納されており、遊技店ＩＤフィールド２１１ｂには、そのカードＩＤの範囲に含まれるカードＩＤによって識別されるカードＣが配送されている遊技店Ｐ１〜ＰＮを示す遊技店識別子（以下、遊技店ＩＤという）が格納されている。したがって図４に示すフォーマット例では、例えばカードＩＤが１乃至５０００であるカードＣは遊技店ＩＤがＡである遊技店Ｐ１〜ＰＮに配送されていることを、またカードＩＤが５００１乃至１００００であるカードＣは遊技店ＩＤがＢである遊技店Ｐ１〜ＰＮに配送されていることを夫々示している。
【００３９】
図５は、受付情報ＤＢ２１２に格納されているファイルのフォーマット例を示す概念図である。図５に示すとおり、受付情報ＤＢ２１２には、カードＩＤフィールド２１２ａ及び遊技店ＩＤフィールド２１２ｂの２つのフィールドが用意されている。
【００４０】
カードＩＤフィールド２１２ａには、受付処理が行われたカードＣに係るカードＩＤが格納されており、遊技店ＩＤフィールド２１２ｂには、そのカードＩＤによって識別されるカードＣのカード情報を記憶している管理装置２１，２１…の設置店の遊技店ＩＤが格納されている。したがって図５に示すフォーマット例では、例えばカードＩＤが６５３であるカードＣのカード情報は遊技店ＩＤがＣである遊技店Ｐ１〜ＰＮに備えられた管理装置２１，２１…に記憶されていることを、またカードＩＤが７３０１であるカードＣのカード情報は遊技店ＩＤがＡである遊技店Ｐ１〜ＰＮに備えられた管理装置２１，２１…に記憶されていることを夫々示している。
【００４１】
図６は、本発明の遊技管理システムに用いられる管理装置２１，２１…の構成を示すブロック図である。図６において、３０１はＣＰＵを示しており、該ＣＰＵ３０１には、中央管理装置１１、発券機２２，２２…、台間機２５，２５…及び受付機２３，２３…との通信を行うための通信インタフェース３０２と、種々のデータ及びプログラムを記憶する記憶部３０３とが接続されている。また記憶部３０３は、以下に説明する４つのデータベースを有している。
【００４２】
第１のデータベースである使用中ＤＢ３１０（請求項１及び請求項２における記憶部）は、管理装置２１，２１…が設置されている遊技店Ｐ１〜ＰＮにおいて使用することが可能であるカードＣのカード情報を記憶する。したがってこの使用中ＤＢ３１０に記憶されていないカードＣは、その遊技店Ｐ１〜ＰＮにおいて使用することができない。
【００４３】
第２のデータベースである決済情報ＤＢ３１１は、発券機２２，２２…から受信したカードＣの発券に関する情報、及び台間機２５，２５…から受信したカードＣの消費に関する情報を記憶する。この発券及び消費に関する決済情報は、中央管理装置１１へ送信され、中央管理装置１１の決済情報ＤＢ２１０に記憶される。
【００４４】
第３のデータベースである配送情報ＤＢ３１２は、中央管理装置１１から受信した配送情報を記憶する。この配送情報を参照することにより、カード発行会社１が発行して配送したカードＣであるか否かを判別することができる。
【００４５】
第４のデータベースである不正情報ＤＢ３１３は、不正カードのカードＩＤを記憶する。この不正情報ＤＢ３１３には、管理装置２１，２１…が設置されている遊技店Ｐ１〜ＰＮで不正であると判断したカードＣのカードＩＤのみならず、他の遊技店Ｐ１〜ＰＮにて不正であると判断されたカードＣのカードＩＤも記憶している。
【００４６】
図７は、本発明の遊技管理システムに用いられる発券機２２，２２…の構成を示すブロック図である。図７において、４０１はＣＰＵを示しており、該ＣＰＵ４０１には、カード発行会社１から配送されたカードＣを収納するカード収納部４０２と、発券するカードＣの記録領域１００に記録された記録情報の読み取り及び書き込み処理を行うリーダライタ部４０３と、利用者からのカードＣの購入要求及び金銭を受け付ける入力部４０４と、発券結果等の情報を表示する表示部４０５と、発券するカードＣを排出して利用者に渡すカード排出部４０６と、管理装置２１，２１…との通信を行うための通信インタフェース４０７と、種々のデータ及びプログラムを記憶する記憶部４０８とが接続されている。
【００４７】
発券機２２，２２…は、カードＣの購入要求及びその要求に応じた金銭を入力部４０４にて受け付けた場合、カード収納部４０２に収納している複数枚のカードＣから１枚のカードＣを取り出し、このカードＣのカード情報をリーダライタ部４０３にて発券店ＩＤを書き込み、書き込んだ発券店ＩＤがその発券機２２，２２…が設置されている遊技店Ｐ１〜ＰＮを示しているか否かを判別する。また、発券機２２，２２…は、そのカードＣのカード情報を通信インタフェース４０７を介して管理装置２１，２１…へ送信する。管理装置２１，２１…は配送情報ＤＢ３１２を参照することによってカード発行会社１から発行されたものであるか否かを判別し、その結果を発券機２２，２２…へ送信する。発券機２２，２２…及び管理装置２１，２１…の両装置による判別の結果、正当なカードであると判別できた場合に、発券機２２，２２…によってそのカードＣの記録領域１００に発券日等のカード情報が書き込まれ、カード情報が書き込まれたカードＣをカード排出部４０６から利用者に渡される。
【００４８】
図８は、本発明の遊技管理システムに用いられる台間機２５，２５…の構成を示すブロック図である。図８において、５０１はＣＰＵを示しており、該ＣＰＵ５０１には、カードＣの挿入及び排出を行うためのカード挿入・排出部５０２と、挿入されたカードＣの記録領域１００に記録されたカード情報の読み取り及び書き込み処理を行うリーダライタ部５０３と、利用者からパチンコ玉の貸出量を受け付ける入力部５０４と、利用者の要求が承認されたか否かを示す情報を表示する表示部５０５と、管理装置２１，２１…との間で通信を行うための通信インタフェース５０６と、種々のデータ及びプログラムを記憶する記憶部５０７とが接続されている。
【００４９】
台間機２５，２５…は、カード挿入・排出部５０２に挿入されたカードＣの記録情報をリーダライタ部５０３にて読み取り、読み取った記録情報を通信インタフェース５０６を介して管理装置２１，２１…へ送信する。管理装置２１，２１…は不正カードであるか否か及び使用可能残高が残っているか否か等を判別し、その判別結果を台間機２５，２５…へ送信する。通信インタフェース５０６を介して管理装置２１，２１…から受信した判別結果に応じて、台間機２５，２５…は、表示部５０５にてカードＣの使用可能残高を示す度数又はエラーの何れかを表示する。ここでカードＣの度数が表示された場合、すなわち使用可能残高が残っている場合は、遊技媒体の排出指示命令を遊技機２４，２４…へ送る。これを受けた遊技機２４，２４…は所定量の遊技媒体を排出する。なお、入力部５０４及び表示部５０５は台間機２５，２５…に設ける替わりに、遊技機２４，２４…に設けるようにしてもよい。
【００５０】
図９は、本発明の遊技管理システムに用いられる受付機２３，２３…の構成を示すブロック図である。図９において、６０１はＣＰＵを示しており、該ＣＰＵ６０１には、カードＣの挿入及び排出を行うためのカード挿入・排出部６０２と、挿入されたカードＣの記録領域１００に記録されたカード情報の読み取り及び書き込み処理を行うリーダライタ部６０３と、利用者からの入力を受け付ける入力部６０４と、認証結果を示す情報等を表示する表示部６０５と、管理装置２１，２１…との間で通信を行うための通信インタフェース６０６と、種々のデータ及びプログラムを記憶する記憶部６０７とが接続されている。
【００５１】
受付機２３，２３…は、後述する受付処理の際に、カード挿入・排出部６０２に挿入されたカードＣのカード情報をリーダライタ部６０３にて読み取り、読み取った情報を通信インタフェース６０６を介して管理装置２１，２１…へ送信する。また、受付機２３，２３…は、通信インタフェース６０６を介して管理装置２１，２１…から受信した情報に基づき、リーダライタ部６０３にてカードＣの記録領域１００に記録情報の書き込みを行う。
【００５２】
なお、本実施の形態では、受付機２３，２３…と台間機２５，２５…とを別の装置としているが、台間機２５，２５…が受付機２３，２３…の機能を兼ねてもよい。
【００５３】
以下、本発明の遊技管理システムの動作について図面を参照して詳述する。
図１０は、本発明の遊技管理システムの発券処理における管理装置２１，２１…及び発券機２２，２２…の処理手順を示すフローチャートである。
発券機２２，２２…は、利用者からカードＣの購入要求及びその要求に応じた金銭を入力部４０４にて受け付けた場合（Ｓ１０１）、発券対象となるカードＣのカード情報をリーダライタ部４０３にて読み取り（Ｓ１０２）、発券店ＩＤが発券機２２，２２…の設置店を示しているか否かを判別する（Ｓ１０３）。ここで発券店ＩＤが前記設置店を示していないと判別された場合（Ｓ１０３でＮＯ）、そのカードＣを廃棄し（Ｓ１１０）、ステップＳ１０２へ戻る。
【００５４】
一方、ステップＳ１０３にて、発券店ＩＤが前記設置店を示していると判別された場合（Ｓ１０３でＹＥＳ）、発券機２２，２２…は、そのカードＣのカード情報を管理装置２１，２１…へ送信する（Ｓ１０４）。
【００５５】
管理装置２１，２１…は、発券機２２，２２…からカード情報を受信した場合（Ｓ２０１）、受信したカード情報からカードＩＤを参照し、そのカードＩＤをキーとして配送情報ＤＢ３１２を検索する（Ｓ２０２）。ここで検索に失敗した場合（Ｓ２０２でＮＯ）、管理装置２１，２１…は、カード発行会社１から発行されたカードではないことを示すカード異常情報を発券機２２，２２…へ送信する（Ｓ２０６）。
【００５６】
発券機２２，２２…は、管理装置２１，２１…からカード異常情報を受信した場合（Ｓ１０９）、そのカードＣを廃棄し（Ｓ１１０）、ステップＳ１０２へ戻る。
【００５７】
またステップＳ２０２にて配送情報ＤＢ３１２の検索に成功した場合（Ｓ２０２でＹＥＳ）、管理装置２１，２１…は、カード発行会社１から配送されたカードあることを示すカード正常情報を発券機２２，２２…へ送信する（Ｓ２０３）。
【００５８】
発券機２２，２２…は、管理装置２１，２１…からカード正常情報を受信した場合（Ｓ１０５）、発券対象のカードＣが正規なカードであると判断し、使用可能な遊技店を識別するための使用店ＩＤとして、発券機２２，２２…の設置店の遊技店ＩＤを書き込み（Ｓ１０６）、カードＣを排出する（Ｓ１０７）。また発券機２２，２２…は、発券したことを示す発券情報を発券されたカードＣのカード情報とともに、管理装置２１，２１…へ送信する（Ｓ１０８）。
【００５９】
管理装置２１，２１…は、発券機２２，２２…から発券情報及びカード情報を受信した場合（Ｓ２０４）、使用中ＤＢ３１０に発券されたカードＣのカード情報を登録する（Ｓ２０５）。
【００６０】
以上の処理の結果、利用者は発券店である遊技店Ｐ１〜ＰＮにおいて発券されたカードＣをその発券店にて使用することができる。
【００６１】
次に、発券店である遊技店Ｐ１〜ＰＮで使用されたカードＣが、発券店以外の遊技店Ｐ１〜ＰＮにて使用する場合に行う受付処理の際の本発明の遊技管理システムの動作について図１１乃至図１４を参照して説明する。
【００６２】
図１１は、受付機２３，２３…にカードＣが挿入された場合の受付機２３，２３…及び管理装置２１，２１…の処理手順を示すフローチャートである。
受付機２３，２３…は、カードＣを受け付けた場合（Ｓ３０１）、リーダライタ部６０３にてカード情報の読み取りを行う（Ｓ３０２）。ここで読み取りができない場合（Ｓ３０２でＮＯ）、表示部６０５にて「お取り扱いできません」等のメッセージを出力し（Ｓ３１１）、カードＣを排出する（Ｓ３１２）。
【００６３】
一方、ステップＳ３０２にてカード情報の読み取りに成功した場合（Ｓ３０２でＹＥＳ）、そのカードＣが不正カードであるか否かを判別する（Ｓ３０３）。この判別のためには、例えばカードＣの使用可能残高がカードＣの額面金額以下であるか否か等の確認を行う。
【００６４】
ステップＳ３０３にて、カードＣが不正カードであると判別された場合（Ｓ３０３でＹＥＳ）、受付機２３，２３…は、このカードが不正であることを示す不正カード情報を管理装置２１，２１…へ送信する（Ｓ３０４）。
【００６５】
管理装置２１，２１…は、受付機２３，２３…から不正カード情報を受信した場合（Ｓ４０１）、そのカードＣのカードＩＤを不正情報ＤＢ３１３に登録し（Ｓ４０２）、不正情報ＤＢ３１３に登録したことを示す不正登録情報を受付機２３，２３…へ送信する（Ｓ４０３）。
【００６６】
受付機２３，２３…は、管理装置２１，２１…から不正登録情報を受信した場合（Ｓ３０５）、表示部６０５にて「従業員にご相談下さい」等のメッセージを出力し（Ｓ３０６）、カードＣを排出せずに装置内に取り込む（Ｓ３０７）。
【００６７】
また、ステップＳ３０３にてカードＣは不正カードではないと判別された場合（Ｓ３０３でＮＯ）、受付機２３，２３…は、使用可能残高の残りが有るか否かを判別する（Ｓ３０８）。ここで使用可能残高がないと判別された場合（Ｓ３０８でＮＯ）、受付機２３，２３…は、表示部６０５にて「使用済みです」等のメッセージを出力し（Ｓ３０９）、カードＣを排出せずに装置内に取り込む（Ｓ３０７）。ここで、例えば遊技管理システムが会員制を採用しており、会員は会員用のカードＣを繰り返し使用することができるような場合、カードＣの再利用を会員に促すべく、カードＣを排出するようにしてもよい。
【００６８】
一方、ステップＳ３０８にてカードＣの使用可能残高の残りが有ると判別された場合（Ｓ３０８でＹＥＳ）、後述する受付処理を実行する（Ｓ３１０）。
【００６９】
図１２乃至図１４は、受付処理の際の受付機２３，２３…、管理装置２１，２１…及び中央管理装置１１の処理手順を示すフローチャートである。以下、受付機２３，２３…のうち遊技店Ｐ１に設置された受付機２３，２３…を受付機２３Ｐ１とする。また、管理装置２１，２１…のうち遊技店Ｐ１に設置された管理装置２１，２１…を管理装置２１Ｐ１とし、遊技店Ｐ２に設置された管理装置２１，２１…を管理装置２１Ｐ２とする。
【００７０】
ステップＳ３０８にて使用可能残高の残りが有ると判別された場合（Ｓ３０８でＹＥＳ）、受付機２３Ｐ１は、カードＣの受付要求を管理装置２１Ｐ１へ送信する（Ｓ５０１）。
【００７１】
管理装置２１Ｐ１は、受付要求を受信した場合（Ｓ６０１）、この受付要求に係るカードＣのカードＩＤをキーとして不正情報ＤＢ３１３を検索する（Ｓ６０２）。ここで検索に成功した場合（Ｓ６０２でＹＥＳ）、カードＣが不正なカードであることを示す不正カード情報を受付機２３Ｐ１へ送信する（Ｓ６０３）。
【００７２】
受付機２３Ｐ１は、不正カード情報を受信した場合（Ｓ５０２）、表示部６０５にて「従業員にご相談下さい」等のメッセージを出力し（Ｓ５０３）、カードＣを排出せずに装置内に取り込む（Ｓ５０４）。
【００７３】
一方、ステップＳ６０２にて検索に失敗した場合（Ｓ６０２でＮＯ）、管理装置２１Ｐ１は、同じくカードＣのカードＩＤをキーとして使用中ＤＢ３１０を検索する（Ｓ６０４）。ここで検索に成功した場合（Ｓ６０４でＹＥＳ）、受付処理は不要であることを示す受付不要情報を受付機２３Ｐ１へ送信する（Ｓ６０５）。
【００７４】
受付機２３Ｐ１は、受付不要情報を管理装置２１Ｐ１から受信した場合（Ｓ５０５）、表示部６０５にて「受付処理は不要です」等のメッセージを出力し（Ｓ５０６）、カードＣを排出する（Ｓ５０７）。
【００７５】
また、ステップＳ６０４にて使用中ＤＢ３１０の検索に失敗した場合（Ｓ６０４でＮＯ）、すなわち受付処理の対象であるカードＣが遊技店Ｐ１にて使用可能なカードではない場合、管理装置２１Ｐ１は、カード情報の取得要求を中央管理装置１１へ送信する（Ｓ６０６）。
【００７６】
中央管理装置１１は、カード情報取得要求を管理装置２１Ｐ１から受信した場合（Ｓ７０１）、この取得要求に係るカードＣのカードＩＤをキーとして受付情報ＤＢ２１２を検索する。ここで検索に失敗した場合（Ｓ７０２でＮＯ）、同じくカードＩＤをキーとして配送情報ＤＢ２１１を検索する（Ｓ７０３）。ここで同じく検索に失敗した場合（Ｓ７０３でＮＯ）、カードＣは不正なカードであると判断し、不正情報ＤＢ２１３にカードＣのカードＩＤを登録する（Ｓ７０４）。またカードＣが不正なカードであることを示す不正カード情報を管理装置２１Ｐ１へ送信する（Ｓ７０５）。
【００７７】
管理装置２１Ｐ１は、中央管理装置１１から不正カード情報を受信した場合（Ｓ６０７）、カードＣのカードＩＤを不正情報ＤＢ３１３に登録（Ｓ６０８）した後、ステップＳ６０３へ戻る。その結果、受付機２３Ｐ１の表示部６０５にて「従業員にご相談下さい」等のメッセージが出力された後、そのカードＣは装置内に取り込まれる。
【００７８】
一方、ステップＳ７０２にて受付情報ＤＢ２１２の検索に成功した場合（Ｓ７０２でＹＥＳ）又はＳ７０３にて配送情報ＤＢ２１１の検索に成功した場合（Ｓ７０３でＹＥＳ）は、検索された情報に基づいて管理装置２１，２１…へカード情報取得要求を送信する（Ｓ７０６）。なおここでは、受付情報ＤＢ２１２又は配送情報ＤＢ２１１において、受付処理の対象であるカードＣを使用することができる遊技店Ｐ１〜ＰＮとして遊技店Ｐ２が示されているものとする。したがって、ステップＳ７０６にてカード情報取得要求の送信先となる管理装置２１，２１…は、管理装置２１Ｐ２となる。
【００７９】
管理装置２１Ｐ２は、中央管理装置１１からカード情報取得要求を受信した場合（Ｓ８０１）、この要求に係るカードＣのカードＩＤをキーとして使用中ＤＢ３１０を検索する（Ｓ８０２）。ここで検索に失敗した場合（Ｓ８０２でＮＯ）、カードＣは不正なカードであると判断し、カードＣのカードＩＤを不正情報ＤＢ３１３に登録（Ｓ８０３）した後、カードＣが不正なカードであることを示す不正カード情報を中央管理装置１１へ送信する（Ｓ８０４）。
【００８０】
中央管理装置１１は、管理装置２１Ｐ２から不正カード情報を受信した場合（Ｓ７０７）、ステップＳ７０４へ戻る。その結果、中央管理装置１１の不正情報ＤＢ２１３及び管理装置２１Ｐ１の不正情報ＤＢ３１３に夫々カードＣのカードＩＤが登録され、更に受付機２３Ｐ１では、表示部６０５にて「従業員にご相談下さい」等のメッセージが表示された後、カードＣは装置内に取り込まれる。
【００８１】
一方、ステップＳ８０２にて使用中ＤＢ３１０の検索に成功した場合（Ｓ８０２でＹＥＳ）、管理装置２１Ｐ２は、検索されたカード情報を中央管理装置１１へ送信する（Ｓ８０５）。
【００８２】
中央管理装置１１は、管理装置２１Ｐ２からカード情報を受信した場合（Ｓ７０８）、受付情報ＤＢ２１２におけるカードＩＤフィールド２１２ａにカードＣのカードＩＤを、また遊技店ＩＤフィールド２１２ｂに遊技店Ｐ１の遊技店ＩＤを夫々格納することによって、受付情報ＤＢ２１２の内容を更新する（Ｓ７０９）。そしてこのカードＣのカード情報を管理装置２１Ｐ１へ送信する（Ｓ７１０）。
【００８３】
管理装置２１Ｐ１は、中央管理装置１１からカード情報を受信した場合（Ｓ６０９）、このカード情報を使用中ＤＢ３１０に登録する（Ｓ６１０）。そして受付処理が完了したことを示す受付完了情報を受付機２３Ｐ１へ送信する（Ｓ６１１）。
【００８４】
受付機２３Ｐ１は、管理装置２１Ｐ１から受付完了情報を受信した場合（Ｓ５０８）、表示部６０５にて「受付処理が完了しました」等のメッセージを出力する（Ｓ５０９）。そしてリーダライタ部６０３にてカードＣの使用店ＩＤを遊技店Ｐ２から遊技店Ｐ１へ書換えた後に、カードＣを排出する（Ｓ５１０）。
【００８５】
以上の処理により、カード情報は管理装置２１Ｐ２から管理装置２１Ｐ１へ転送され、管理装置２１Ｐ１の使用中ＤＢ３１０に登録された。その結果、利用者は遊技店Ｐ２にて使用したカードＣを遊技店Ｐ１にて使用することができる。また、遊技店Ｐ１での遊技を終了した後、同じカードＣを用いて再び遊技店Ｐ１にて遊技を行う場合であっても、管理装置２１Ｐ１の使用中ＤＢ３１０にカードＣのカード情報が登録されたままであるため、利用者は受付処理をすることなくカードＣを使用して遊技を行うことができる。
【００８６】
【発明の効果】
以上詳述した如く、本発明の遊技管理システムによれば、各遊技店毎に、その遊技店において使用することが可能な記録媒体に関する情報を記憶し、この情報を中央管理装置を介して各遊技店間で転送することによって、一枚の記録媒体を複数店にて共通に使用することができる。
【００８７】
また、他店にて発券又は使用された記録媒体であっても、受付処理を一度行えばその後は受付処理を経ることなく記録媒体を使用することができる。
【００８８】
そして、中央管理装置が記録媒体を識別するための記録媒体識別子と、その記録媒体識別子によって識別される記録媒体の記録情報を記憶している管理装置との対応を示す対応情報を記憶していることによって、記録情報の取得要求を行う管理装置は、その取得要求先の管理装置を特定しなくても済む。
【００８９】
また、使用可能な遊技店が不明である記録媒体がある場合でも、各遊技店に設置された管理装置すべてに問い合わせる必要はなく、中央管理装置が記憶している対応情報を参照すれば済む等のようにシステム運用の効率化を図ることができる等、本発明は優れた効果を奏する。
【図面の簡単な説明】
【図１】本発明の遊技管理システムの構成を示すブロック図である。
【図２】各遊技店における本発明の遊技管理システムの構成を示すブロック図である。
【図３】本発明の遊技管理システムに用いられる中央管理装置の構成を示すブロック図である。
【図４】配送情報ＤＢに格納されているファイルのフォーマット例を示す概念図である。
【図５】受付情報ＤＢに格納されているファイルのフォーマット例を示す概念図である。
【図６】本発明の遊技管理システムに用いられる管理装置の構成を示すブロック図である。
【図７】本発明の遊技管理システムに用いられる発券機の構成を示すブロック図である。
【図８】本発明の遊技管理システムに用いられる台間機の構成を示すブロック図である。
【図９】本発明の遊技管理システムに用いられる受付機の構成を示すブロック図である。
【図１０】本発明の遊技管理システムの発券処理における管理装置及び発券機の処理手順を示すフローチャートである。
【図１１】受付機にカードが挿入された場合の受付機及び管理装置の処理手順を示すフローチャートである。
【図１２】受付処理の際の受付機、管理装置及び中央管理装置の処理手順を示すフローチャートである。
【図１３】受付処理の際の受付機、管理装置及び中央管理装置の処理手順を示すフローチャートである。
【図１４】受付処理の際の受付機、管理装置及び中央管理装置の処理手順を示すフローチャートである。
【図１５】従来システムの構成を示すブロック図である。
【符号の説明】
１  カード発行会社
１１  中央管理装置
２１  管理装置
２２  発券機
２３  受付機
２４  遊技機
２５  台間機
Ｐ１〜ＰＮ  遊技店
【図１】
0003772068.tif 000002
【図２】
0003772068.tif 000003
【図３】
0003772068.tif 000004
【図４】
0003772068.tif 000005
【図５】
0003772068.tif 000006
【図６】
0003772068.tif 000007
【図７】
0003772068.tif 000008
【図８】
0003772068.tif 000009
【図９】
0003772068.tif 000010
【図１０】
0003772068.tif 000011
【図１１】
0003772068.tif 000012
【図１２】
0003772068.tif 000013
【図１３】
0003772068.tif 000014
【図１４】
0003772068.tif 000015
【図１５】
0003772068.tif 000016